(57)【特許請求の範囲】
【請求項１】
乳房手術部位にあてがって装着される重量調整を可能とする装着具であって、前記装着具は、胸部重量調整のための装着具本体と、前記装着具本体を被覆する被覆体であって、前記装着具本体と相似形に形成された袋体からなる被覆体でなり、前記装着具本体は、人間の女性の乳房全体形状を形成するように略三角形型、略水滴型、あるいは略楕円形型の平面形状を成す収納体に胸部重量調整用の粒状のビーズまたはペレット、または女性の乳房の形状を形成するためのワタ材、または低反発ウレタンスポンジ材、あるいは高分子ポリマーの弾性材を内包している装着具本体と前記装着具本体を被覆する被覆体は、メッシュ布、または速乾性布、または冷却布、または保温布で形成され、前記装着具本体を挿入・取り出し自在に収納してなることを特徴とする外用胸部装着具であって、収納体に所定重量の収納物を収納してなる装着具本体を形成し、被覆体に一個または複数個の前記装着具本体を収納することにより外用胸部装着具の重量を調整自在としてなることを特徴とする外用胸部装着具。
【請求項２】
被覆体に収納される装着具本体の重量は、反対側の乳房と同等〜１／３程度の重量としたことを特徴とする請求項１記載の外用胸部装着具。
【請求項３】
装着具本体を挿入・取り出し自在の開口部は、被覆体片面の略中央位置に打ち合わせ形状に形成されてなることを特徴とする請求項１または請求項２に記載の外用胸部装着具。
【発明の詳細な説明】
【技術分野】
【０００１】
本発明は、乳がん等の原因により乳房の全部または一部を手術により切除した人が、乳房手術部位にあてがって用いる胸部保護および胸部形状形成用の外用胸部装着具である。
【背景技術】
【０００２】
乳がん等の原因により乳房の全部を手術により切除した人（多くの場合女性）が、乳房手術部位にあてがって用いる胸部形成用の外用胸部装着具としては、シリコン樹脂で形成される人工乳房が知られている（特許文献１、特許文献２等）。このシリコン樹脂製の人工乳房は、シリコン樹脂を人間の乳房の形状に成形し、シリコン樹脂の粘着力を利用してこれを外胸部の皮膚面に貼着して装着する。しかしながら、シリコン樹脂製の人工乳房は、密着性がよい反面、通気性は悪く、装着した皮膚面の汗によるべたつきやかぶれを起こすこともある。したがって、外出時等の日中はシリコン樹脂製の人工乳房を利用する人も、室内でのリラックス時や就寝時には取り外すことが多い。しかしながら、乳房手術部位に何もあてがわない状態の場合においては、不意の衝撃を受けた場合ときに手術縫合個所や乳房手術部位内の内臓器官に衝撃が直に伝わり危険であった。また、乳房手術部位に何もあてがわない状態の場合、乳房手術部位側の胸部の重量と、乳房手術部位と反対側の胸部の重量に不均衡が生じることが原因で骨格の歪みや筋肉量の不均衡等が生じ、結果として様々な体調不良を生じることが散見される。さらには、乳房の全部を手術により切除した人は、乳房手術側の外胸部にも、ブラジャーや肌着にフィットし、着衣したときに自己の乳房と同じように見える自然な膨らみを形成したいと考えている。
【０００３】
一方で、終日人工乳房を装着する人にあっても、就寝時に人工乳房を装着したとき、自身の乳房は重力に従って身体の脇側に流れるのに対し、人工乳房は胸部上で乳房形状を保持したままであるから立位時に比べて人工乳房の重さを強く感じるという問題があることから一日の生活スタイルに合わせて乳房にあてがう物の重量を調節したいという要請がある。同様に、手術直後は体への負担を軽減したいため軽い物をあてがうことがよいが、手術から時間が経過した後は生活スタイルにあった重量の物をあてがうことがよく、この場合も胸部にあてがう物の重量を調節したいという要請がある。また、肌に直接触れる素材はできるだけ肌触りがよいことが望ましい。このように、乳房手術後の胸部にあてがう物の素材の選択、形状の調整、重量の調節は細かくなされる必要がある。
【０００４】
尚、乳房の一部を手術により切除する乳房温存手術を受けた人の場合には、乳房手術部位に何もあてがわないことも多いが、手術後間もない場合には不意の衝撃などから術縫合個所を保護する必要があり、また左右の胸部の重量に不均衡が生じるという問題や、乳房手術側の外胸部にも、自己の乳房のような自然な膨らみを維持したいという思いは、上述した乳房の全部を手術により切除した人と同様に生じている。
【特許文献１】特開２００４−３１０号公報
【特許文献２】特開平９−２７６３０６号公報
【特許文献３】特開２００９−１２１７７号公報
【発明の開示】
【発明が解決しようとする課題】
【０００５】
そこで本発明は、乳がん等の原因により乳房の全部または一部を手術により除去した人の乳房手術部位に自己の乳房と同じような膨らみを形成して乳房手術部位を保護・補正するとともに、手術直後・手術から時間が経過した後、あるいは、外出時・室内でのリラックス時・就寝時等、術後の状況や生活スタイルに応じて胸部の重量を調節することができる外用胸部装着具を提供することを目的とする。
【課題を解決するための手段】
【０００６】
上記目的を達成するため本発明の外用胸部装着具は、乳房手術部位にあてがって装着される装着具であって、前記装着具は、胸部重量調整のための装着具本体と、前記装着具本体を被覆する被覆体とからなり、前記被覆体は、前記装着具本体を挿入・取り出し自在に収納してなることを特徴とする。
【０００７】
被覆体は、前記装着具本体を挿入・取り出し自在の開口部を形成した袋体に形成してなることを特徴とする。
【０００８】
装着具本体は、人間の女性の乳房の全体形状を形成するように略三角形型、略水滴型、あるいは略楕円型の平面形状を成す収納体に胸部重量調整用の収納物を内包するとともに、被覆体は、前記被覆体に被覆される前記装着具本体と相似形状に形成し、前記装着具本体を挿入・取り出し自在の開口部を形成した袋体に形成してなることを特徴とする。
【０００９】
装着具本体は、人間の女性の乳房の外縁形状の一部を形成するように略三日月型、略山型、あるいは略扇型の平面形状を成す収納体に胸部重量調整用の装着具本体を内包するとともに、被覆体は、前記被覆体に被覆される前記装着具本体と相似形状に形成し、前記装着具本体を挿入・取り出し自在の開口部を形成した袋体に形成してなることを特徴とする。
【００１０】
装着具本体は、人間の女性の乳房の形状の一部を形成するように略楕円形型、略円形型、あるいは略四角型の平面形状を成す収納体に胸部重量調整用の収納物を内包するとともに、被覆体は、前記被覆体に被覆される前記装着具本体と相似形状に形成し、前記装着具本体を挿入・取り出し自在の開口部を形成した袋体に形成してなることを特徴とする。
【００１１】
収納体に所定重量の収納物を収納してなる装着具本体を形成し、被覆体に一個または複数個の前記装着具本体を収納することにより外用胸部装着具の重量を調整自在としてなることを特徴とする。
【００１２】
被覆体に収納される装着具本体の重量は、反対側の乳房と同等〜１／３程度の重量としたことを特徴とする。
【００１３】
装着具本体を挿入・取り出し自在の開口部は、被覆体片面の略中央位置に打ち合わせ形状に形成されてなることを特徴とする。
【００１４】
胸部重量調整用の収納物は、粒状のビーズまたはペレットであることを特徴とする。
【００１５】
胸部重量調整用の収納物は、ワタ材、低反発ウレタンスポンジ材あるいは高分子ポリマー等の弾性材であることを特徴とする。
【００１６】
被覆体および/または収納体は、メッシュ布で形成してなることを特徴とする
【００１７】
被覆体および/または収納体は、保温性布、冷却性布または速乾性布で形成してなることを特徴とする。
【００１８】
被覆体または収納体に、シリコン樹脂からなるパッドを収納したことを特徴とする。
【発明の効果】
【００１９】
本発明の外用胸部装着具は、乳房手術部位にあてがって装着される装着具であって、前記装着具は、胸部重量調整のための装着具本体と、前記装着具本体を被覆する被覆体とからなり、前記被覆体は、前記装着具本体を挿入・取り出し自在に収納してなることにより、乳がん等の原因により胸部の全部または一部を切除した人の乳房手術部位に乳房形状を形成して手術部位を保護するとともに、たとえば手術直後と手術から時間が経過した後、あるいは、外出時と室内でのリラックス時、就寝時等、外用胸部装着具の装着者の生活スタイルに合わせて、装着具本体を取り替えることにより胸部の重量を調節することができる外用胸部装着具を提供することができる。さらには、着衣したときに自己の乳房と同じように見える自然な胸の膨らみを乳房手術部位の外胸部に形成し、自然な胸のラインを演出することができる。また、肌に直接触れる被覆体の洗濯と乾燥を容易にすることができる。
【００２０】
前記装着具本体は、人間の女性の乳房の形状を形成するように女性の乳房の形状を成す収納体に胸部重量調整用の収納物を内包するとともに、前記被覆体は、前記装着具本体を挿入・取り出し自在の開口部を形成した袋体に形成してなることにより装着具本体の交換を容易にすることができる。
【００２１】
また、前記装着具本体は、人間の女性の乳房の全体形状を形成するように略三角形型、略水滴型、あるいは略楕円型の平面形状を成す袋体に胸部重量調整用の収納物を内包するとともに、前記被覆体は、前記被覆体に被覆される前記装着具本体と相似形状に形成するとともに前記装着具本体を挿入・取り出し自在の開口部を形成した袋体に形成してなることにより、人間の女性の乳房と同様の形状の外用胸部装着具を形成することができ、主として乳房の全部を切除した人や乳房の一部を切除した人のうち乳房全体を保護したい人に適した外用胸部装着具を提供することができる。
【００２２】
前記装着具本体は、人間の女性の乳房の外縁形状の一部を形成するように略三日月型、略山型、あるいは略扇型の平面形状を成す収納体に胸部重量調整用の収納物を内包するとともに、前記被覆体は、前記被覆体に被覆される前記装着具本体と相似形状に形成するとともに前記装着具本体を挿入・取り出し自在の開口部を形成した袋体に形成してなることにより、人の女性の乳房の縁部と同様の形状の外用胸部装着具を形成することができ、主として乳房の縁部の一部を切除した人に適した外用胸部装着具を提供することができる。
【００２３】
前記装着具本体は、人間の女性の乳房形状の一部を形成するように略楕円形型、略円形型、あるいは略四角型の平面形状を成す袋体に胸部重量調整用の収納物を内包するとともに、前記被覆体は、前記被覆体に被覆される前記装着具本体と相似形状に形成するとともに前記装着具本体を挿入・取り出し自在の開口部を形成した袋体に形成してなることにより、人の女性の乳房の一部と同様の形状の外用胸部装着具を形成することができ、主として乳房の比較的面積の小さな部位を切除した人に適した外用胸部装着具を提供することができる。
【００２４】
収納体に所定重量の収納物を収納してなる装着具本体を形成し、被覆体に一個または複数個の前記装着具本体を収納することにより外用胸部装着具の重量を調整自在としてなることにより、装着者が容易に自己の体型、手術経過、生活スタイルに合わせた所望の重量の外用胸部装着具を形成することができる。例えば、日中などの立位時には被覆体に反対側の胸と同重量〜幾分軽量な重さの外用胸部装着具を装着すべく被覆体に複数個の装着具本体を入れる一方、リラックス時には一つまたは幾つかの装着具本体を取り出して装着具の重量を軽量にする等、生活スタイルや手術後の経過に合わせて簡単に装着具の重量を調整することができる。
【００２５】
被覆体に収納される装着具本体の重量は、反対側の乳房と同等〜１／３程度の重量としたにより装着具本体を形成することにより、１個または複数の装着具本体で以て容易に左右の胸部の重量バランスをとることができる。
【００２６】
装着具本体を挿入・取り出し自在の開口部は、被覆体片面の略中央位置に打ち合わせ形状に形成されてなることにより、開口部に他の部品を装着することなく装着具本体が出し入れ容易であって、被覆体から装着具本体が脱落することがない外用胸部装着具を提供することができる。
【００２７】
胸部重量調整用の収納物は、粒状のビーズまたはペレットであることにより、乳房手術部位を衝撃から保護することができ、その個数を調整することで装着具本体の微妙な重量調整を容易にすることができる。
【００２８】
胸部重量調整用の収納物は、ワタ材、低反発ウレタンスポンジ材あるいは高分子ポリマー等の弾性材であることにより、乳房手術部位を衝撃から確実に保護することができ、軽量な装着具を形成することもできる。
【００２９】
被覆体および/または収納体は、メッシュ布で形成してなることにより、洗濯後の乾きがよく、装着時の暑さを軽減させる外用胸部装着具を提供することができる。
【００３０】
被覆体および/または収納体は、保温性布で形成してなることにより保温効果を得ることができ、冷却性布で形成してなることにより冷却効果を得ることができ、気温や体温に応じた快適な外用胸部装着具を提供することができる。また、被覆体および/または収納体を速乾性布で形成すれば、洗濯後も直ぐに乾き、また汗をかいた後も快適である。
【００３１】
被覆体または収納体に、シリコン樹脂からなるパッドを収納することにより、人の乳房に近い形状や触感を作ることができる。例えば被覆体または収納体のブラジャー側に位置する個所にシリコン樹脂からなるパッドを収納すれば、乳房に近い形状の胸の膨らみと触感を同時に達成することができる。
【図面の簡単な説明】
【００３２】
【図１】本願発明の第１の実施の形態の外用胸部装着具を胸部に装着した状態を示す人間の胴体部の斜視図である。
【図２】本願発明の第１の実施の形態の外用胸部装着具の斜視図である。
【図３】本願発明の外用胸部装着具に用いられる装着具本体の一部切り欠き平面図である。
【図４】本願発明の第１の実施の形態の外用胸部装着具に用いられる装着具本体の一部切り欠き平面図である。
【図５】本願発明の第１の実施の形態の外用胸部装着具に用いられる装着具本体の一部切り欠き平面図である。
【図６】本願発明の第１の実施の形態の外用胸部装着具に用いられる装着具本体の一部切り欠き平面図である。
【図７】本願発明の第１の実施の形態の外用胸部装着具の変形例を示す分解斜視図である。
【図８】図７に示す外用胸部装着具を胸部に装着した状態を示す人間の胴体部の斜視図である。
【図９】本願発明の第１の実施の形態の外用胸部装着具の変形例を示す分解斜視図である。
【図１０】本願発明の第１の実施の形態の外用胸部装着具に用いられる被覆体の変形例を示す斜視図である。
【図１１】本願発明の第１の実施の形態の外用胸部装着具に用いられる被覆体の変形例を示す斜視図である。
【図１２】本願発明の第２の実施の形態の外用胸部装着具の斜視図である。
【図１３】本願発明の第２の実施の形態の外用胸部装着具の変形例を示す斜視図である。
【図１４】図１２に示す外用胸部装着具を胸部に装着した状態を示す人間の胴体部の斜視図である。
【図１５】本願発明の第３の実施の形態を示す外用胸部装着具の斜視図である。
【図１６】本願発明の第４の実施の形態を示す外用胸部装着具の平面図である。
【図１７】図１６に示す外用胸部装着具の斜視図である。
【発明を実施するための形態】
【００３３】
本願発明の外用胸部装着具の実施例について図面を用いて説明する。本願発明の外用胸部装着具は、乳がん等の原因により乳房の全部または一部を手術により除去した人（主として女性）の乳房手術部位にあてがって用いられ自然な乳房形状を成形し、乳房手術部位を保護するとともに、外出時、室内でのリラックス時、就寝時等の状況に応じて外用胸部装着具の重量を調節することができる装着具である。
【００３４】
（実施例１）
本願発明の第１の実施の形態について、図１乃至図６を参照して説明する。外用胸部装着具１は、図１に示すように、主として乳房の全部を手術により切除した人や乳房の一部を切除した人のうち乳房全体を保護したい人が胸部１０の乳房手術部位１０１にあてがって用いるための物である。図１に示すように多くの場合、外用胸部装着具１はブラジャー２０のカップ部２０１内方に装着されて乳房手術部位１０１にあてがわれる。
【００３５】
外用胸部装着具１は、図２に示すように、被覆体１１と、被覆体１１に被覆される装着具本体２とで形成される。外用胸部装着具１は、人間の乳房の全体外縁形状を形成するように形成され、切除した側の胸部の乳房手術部位１０１にあてがわれる。本願発明の実施の形態では、右胸用の外用胸部装着具１を例に説明する。
【００３６】
図２は、外用胸部装着具１を乳房手術部位１０１にあてがわれるのと反対側の面１８（ブラジャー当接面）から見た斜視図である。被覆体１１は、様々な布地で形成され得る袋体である。被覆体１１を形成する布地は、乳房手術部位１０１の皮膚面にあてがったときに肌あたりがよく、肌にやさしい布が選択される。例えば、織り地、ニット地、起毛地等の天然繊維あるいは合成繊維からなる布地が選択される。また布地の機能で分ければ、例えば汗などの水分を熱に変換し体温を保持する素材等の保温性布、あるいは汗などの水分を気化熱に変換して体温を逃がす素材等の冷却性布、あるいは速乾性に優れた速乾性布が選択される。これらは装着者の好みや、装着する季節により適宜選択される。
【００３７】
被覆体１１は、装着者自身の乳房の全体外縁形状を形成するように頂部１２から延びる略同一長さの二等辺部１４、１５と円弧形状の底部１３を有する水滴型の平面形状を有する袋状に形成され、後述する所望の装着具本体２〜５と相似形状に形成され、装着具本体２〜５を被覆し得る程度の公差を有するように形成されている。そして被覆体１１の側縁には、装着具本体２〜５を挿入・取り出し自在とする開口部１４ａが形成されている。そして、開口部１４ａを封止するための部材として、被覆体１１の乳房手術部位１０１にあてがわれるのと反対側の面１８（ブラジャー当接面）の開口部１４ａ寄りの個所１８ａ、１８ｂには、一対のリボン部材１６ａ、１６ｂが取り付けられており、開口部１４ａの内側１９ａ、１９ｂにはリボン部材１６ａ、１６ｂとそれぞれ結ばれるリボン部材１７ａ、１７ｂが取り付けられて、リボン部材１６ａ、１６ｂおよび１７ａ、１７ｂが取り付けられて、リボン部材が乳房手術部位１０１に当接しないようにされており、このリボン部材１６ａ、１６ｂおよび１７ａ、１７ｂを結ぶことにより開口部１４ａを封止し、被覆体１１に挿入被覆された装着具本体２〜５が脱落しないようになっている。
【００３８】
次に図３〜６を用いて被覆体１１に入れて用いる種々の装着具本体について説明する。図２に示す装着具本体２は、主として外出時等の立位時に用いるための物であり、乳房手術部位１０１と反対側の乳房とほぼ同様の形状、厚みに形成される。またその重量は、反対側の乳房と同等から１／３程度の重量の物が選択される。これは、装着具である外用胸部装着具は実際の乳房より重さを感じやすいことから乳房より軽い物を装着する人も多いことを原因とするものである。装着具本体２は通気性のよい布材やメッシュ材で形成される収納体２１とこれに内包される胸部重量調整用の収納物としてのプラスチックビーズ２７とからなる。収納体２１は、被覆体１１と相似形状に形成されてなり頂部２２から延びる同一長さの二等辺部２４，２５と円弧形状の底部２３を有する水滴型に形成される。胸部重量調整用の収納物としてのプラスチックビーズ２７は、細かな略球状のプラスチックビーズ部材であり、収納体２１内において装着具本体２が乳房手術部位１０１を衝撃から保護する程度の厚み（装着具本体２を平置きの状態で２〜３センチメートル程度の厚み）を形成し、乳房手術部位１０１と反対側の乳房と同重量分から幾分軽い重さとなるように適量の合成樹脂ビーズ２７が収納体２１内に内包されている。
【００３９】
ここで、反対側の乳房と同等〜１／３の重量の外用胸部装着具の重量の一例について示す。例えば、アンダーバストが７０〜７５センチメートルの人で比較すると、乳房のサイズが小さめ（日本のブラジャーサイズＡ〜Ｂカップ）の人の実際の乳房の重量は、１１５〜１４５グラム程度であり、例えば、外用胸部装着の重量は３０グラム〜１００グラム程度が所望される。乳房のサイズが大きめ（日本のブラジャーサイズＣ〜Ｄカップ）の人が所望する外用胸部装着具の重さは１００グラム〜１６０グラム程度、乳房のサイズがさらに大きめ（日本のブラジャーサイズＥ〜Ｆカップ）の人で１６０グラム〜２５０グラム程度である。尚、収納物はプラスチックビーズのみならずマグネットビーズ、ストーンビーズ、ウッドビーズであってもよいし、扁平形状に形成したペレットであってもよく、またその大きさも微細な物から直径数ミリメートルの物まで所望の物が選択される。また、プラスチックビーズ２７とワタ材や乾燥ハーブ等を一緒に入れてもよい。
【００４０】
被覆体１１に被覆される他の例の装着具本体３を図４に示す。この装着具本体３は主として室内でのリラックス時や就寝時に用いるための物であり、乳房手術部位１０１と反対側の乳房とほぼ同様の形状、厚みでありながら軽量の外胸部を形成する物である。装着具本体２は通気性のよい布材やメッシュ材で形成される収納体３１とこれに内包される胸部重量調整用の収納物としてのワタ材３７とからなる。収納体３１は、被覆体１１と相似形の水滴型に形成してなり、前述の被覆体１１に被覆される大きさに形成される。胸部重量調整用の収納物としてのワタ材３７は、弾性を有する木綿ワタ、羊毛ワタあるいは合成繊維ワタであり装着具本体３が乳房手術部位１０１を衝撃から保護する程度の厚み（装着具本体２を平置きの状態で２〜３センチメートル程度の厚み）を形成し、袋体中央部３６が高く、袋体中央部３６から周部になだらかな傾斜を描くように収納体３１内に内包されている。収納物はワタ材のみならず、柔らかい布片、低反発ウレタンスポンジ等であってもよい。尚、低反発ウレタンスポンジのようにそのもの自身が外形を保持できる物は必ずしも収納体３１に収納する必要はなく、直接被覆体１１で被覆しても良い。
【００４１】
被覆体１１に被覆される他の例の装着具本体４を図５に示す。この装着具本体４は主として室内でのリラックス時や就寝時に用いるための物であり、乳房手術部位１０１と反対側の乳房とほぼ同様の形状、厚みでありながら軽量の外胸部を形成するとともに、装着者にリラックス効果を発揮させる芳香を発する物である。装着具本体４は通気性のよい布材やメッシュ材で形成される収納体４１とこれに内包される胸部重量調整用の収納物としての乾燥ハーブ４７とからなる。収納体４１は、被覆体１１と相似形状の水滴型に形成してなり、前述の被覆体１１に被覆される大きさに形成される。胸部重量調整用の収納物としての乾燥ハーブ４７は、乾燥ラベンダー、乾燥バラ、乾燥レモングラス等の芳香性の高い乾燥植物であり装着具本体４が乳房手術部位１０１を衝撃から保護する程度の厚み（装着具本体２を平置きの状態で２〜３センチメートル程度の厚み）を形成し、袋体中央部４６が高く、袋体中央部４６から周部になだらかな傾斜を描くように収納体４１内に内包されている。尚、収納物は乾燥ハーブのみならず、芳香性の高いヒノキやスギの木くずや、サクラやスギ等のチップ材等であってもよい。
【００４２】
被覆体１１に被覆される他の例の装着具本体５を図６に示す。この装着具本体５は主として手術直後や放射線治療後に火照った手術部位の冷却用として用いられる物であり、乳房手術部位１０１と反対側の乳房とほぼ同様の形状、厚みでありながら所望の重量の胸部を形成する物である。装着具本体５は、合成樹脂シート等で形成される収納体５１とこれに内包される胸部重量調整かつ手術部位冷却用の収納物としての冷却ジェル、衝撃吸収ジェル等の高分子ゲルあるいは高分子ポリマー５７とからなる。収納体５１は、被覆体１１と相似形状の水滴型に形成してなり、前述の被覆体１１に被覆される大きさに形成される。高分子ポリマー５７は、装着具本体５が乳房手術部位１０１を衝撃から保護する程度の厚み（装着具本体２を平置きの状態で２〜３センチメートル程度の厚み）を形成し、袋体中央部５６が高く、袋体中央部５６から周部になだらかな傾斜を描くように形成され収納体５１内に内包されている、冷蔵庫等で冷やすことによりある程度の時間冷却状態を保持することができるようになっている。
【００４３】
尚、第１の実施の形態において被覆体１１と装着具本体２〜５は水滴型を例に説明したが、人間の女性の乳房の全体外縁形状を形成するような形状であればよく、例えばリンパ節まで切除した人が装着する物は脇部まで覆うような略三角形型に形成され、形状や各辺の長さも手術部位により異なる。また、乳房の中央部を切除した人が装着する物は略楕円形型に形成され、その形状も手術部位により異なる。また、被覆体１１と装着具本体２〜５の大きさや円弧のカーブは自己の乳房に合わせて形成されることが望ましい。
【００４４】
次に、外用胸部装着具１の使用の仕方について説明する、外出時等の立位時には、左右の胸部の重量はできるだけ同重量であることが望ましいため、装着者は、図２に示す如く、被覆体１１の開口部１４ａより、プラスチックビーズ２７が内包されている装着具本体２を挿入し、リボン部材１６ａと１７ａ、リボン部材１６ｂと１７ｂを結び封止して、これを図１に示す如く、ブラジャー２０のカップ２０１内に装着する。このとき、外用胸部装着具１における被覆体１１の頂部１２がカップ２０１外側の脇部方向に向き、円弧状の底部１３がブラジャー２０の中央からカップ２０１底部に向くようにセットすることで、装着具本体２内のプラスチックビーズが重力に従って移動し、自然な胸の膨らみを形成する。
【００４５】
一方、室内でリラックスしたいときや就寝時には、外用胸部装着具１の重量はできるだけ軽量であることが望ましいため、装着者は、被覆体１１の開口部１４ａより、ワタ材３７が内包されている装着具本体３を挿入し、リボン部材１８ａと１９ａ、リボン部材１８ｂと１９ｂを結び、これを図１に示すのと同様に、ブラジャー２０のカップ２０１内に装着する。同様に、装着具本体４および装着具本体５を被覆体１１に挿入して装着することもできる。尚、外用胸部装着具１が装着される物はブラジャー２０としたが、キャミソール、タンクトップ、シュミーズ等肌に直接接する肌着であればよい。
【００４６】
（実施例１の変形例）
実施例１の変形例を図７に示す。図７に示す実施例１の変形例は、外用胸部装着具１の被覆体６１にブラジャー２０に外用胸部装着具を固定するためのスナップ６２ａ、６２ｂ、６２ｃを取り付けたものである。スナップ６２ａ、６２ｂ、６２ｃ以外の構成は、被覆体１１と同様であるため省略する。スナップ６２ａ、６２ｂ、６２ｃは、テープスナップボタンと呼ばれるテープの表面に固定用のスナップボタンが固定されている固定部材で、被覆体６１の乳房手術部位１０１にあてがわれるのと反対側の面に雄側（または雌側）のスナップが固定される。一方、図８に示すように外用胸部装着具１を装着するブラジャー２０のカップ２０１内面の外用胸部装着具１に対応する位置には、雌側（または雄側）のスナップが固定される。装着者は、外用胸部装着具１をカップ２０１に装着する際にずれ防止または脱落防止として雄雌のスナップを止めるようになっている。尚、この例においてはスナップを３個所に固定したが、固定個所の数や位置はこれに限定されるものではない。
【００４７】
（実施例１の変形例）
実施例１の他の変形例を図９に示す。図９に示す実施例１の変形例は、外用胸部装着具１の被覆体６３にブラジャー２０に外用胸部装着具を固定するためのループ部材６４ａ、６４ｂ、６４ｃを取り付けたものである。ループ部材６４ａ、６４ｂ、６４ｃ以外の構成は、被覆体１１と同様であるため省略する。ループ部材６４ａ、６４ｂ、６４ｃは、ボタンを固定するループ部材で、被覆体６３の縁部に形成される。一方、外用胸部装着具１を装着するブラジャーのカップ周部の外用胸部装着具１に対応する位置には、不図示のボタンが固定される。装着者は、外用胸部装着具１をカップ２０１に装着する際にずれ防止または脱落防止としてボタンをループ止めるようになっている。尚、この例においてはループ部材を３個所に固定したが、固定個所の数や位置はこれに限定されるものではない。
【００４８】
（実施例１の変形例）
実施例１の他の変形例を図１０に示す。図９に示す実施例１の変形例は、外用胸部装着具の被覆体７の開口部７４の封止部材として面ファスナーを用いた物である。雄（又は雌）面ファスナー７６ａと雌（または雄）面ファスナー７７ａ、および雄（又は雌）面ファスナー７６ｂと雌（または雄）面ファスナー７７ｂ、がそれぞれ開口部７４の内側の対向する位置に取り付けられており、着脱自在となっている。また、図１１に示すように被覆体７には、ブラジャーに外用胸部装着具を固定するためのゴムやシリコン樹脂等の滑り止め効果の高い材質からなる滑り止め突起部を形成してもよい。この滑り止め突起部がブラジャーのカップ内部やキャミソールに装着した際に滑り止めとして機能し、外用胸部装着具のズレや脱落を防ぐようになっている。
【００４９】
（実施例２）
本願発明の第２の実施の形態について、図１２乃至図１４を参照して説明する。外用胸部装着具８は、図１４に示すように、乳房温存手術と呼ばれる主として乳房の一縁部を手術により切除した人が胸部１０の乳房手術部位１０１にあてがって用いる物である。図１４に示すように多くの場合外用胸部装着具８はブラジャー２０のカップ部２０１内方に装着されて乳房手術部位１０１にあてがわれる。
【００５０】
外用胸部装着具８は、図１２に示すように、被覆体８１と、被覆体８１に被覆される不図示の装着具本体とで形成される。外用胸部装着具８は、自身の乳房の切除した箇所、すなわち乳房の下縁部、上縁部あるいは側縁部と同程度のカーブに形成され、切除した側の胸部の乳房手術部位１０１にあてがわれる。本願発明の実施の形態では、右胸用の外用胸部装着具８を例に説明する。
【００５１】
図１２は、外用胸部装着具８を装着時に被覆体８１の乳房手術部位１０１にあてがわれるのと反対側の面８８（ブラジャー当接面）から見た斜視図である。被覆体８１は、乳房手術部位１０１の皮膚面にあてがったときに肌あたりのよい、織り地、ニット地、起毛地等の布地で形成される収納体である。被覆体８１は、人間の女性の乳房の外縁形状の一部を形成するように二つの頂部８４、８５から延びる円弧形状の辺部８２、８３を有する三日月型に形成してなる袋状に形成され、装着具本体と相似形状に形成され、装着具本体を被覆できるようになっている。円弧形状の辺部８２から乳房手術部位１０１にあてがわれるのと反対側の面８８に変芯した位置には装着具本体を挿入・取り出し自在とする開口部８６が形成されている。開口部８６内方には開口部８６を封止する部材としてコンシールファスナーまたは面ファスナー等が取り付けられている。不図示の装着具本体としては、外用胸部装着具１と同様に、被覆体８１と相似形状の収納体にプラスチックビーズ、ワタ材、乾燥ハーブ、低反発ウレタンスポンジ等を入れた立体形状の物をそれぞれ用意し、これらの装着具本体から所望の物を選んで被覆体８１に挿入して装着することができる。尚、図１３、図１４に示すように外用胸部装着具８の被覆体８１には、ブラジャー２０に固定するための固定部材としてスナップ８７ａ、８７ｂ、８７ｃを取り付けてもよい。
【００５２】
尚、第２の実施の形態において被覆体８１と装着具本体は三日月型を例に説明したが、人間の女性の乳房の一部外縁形状を形成するような形状であればよく切除個所に合わせて形成される。例えば、乳房の中央部寄りの部分も切除した人が装着する物は平置き形状で、山型、扇型あるいは三日月型よりも頂部に丸みを帯びたバナナ型、まが玉や豆型など側部に凹みを有する形に形成される。また、被覆体８１と装着具本体の大きさや円弧のカーブは自己の乳房に合わせて形成されることが望ましい。
【００５３】
（実施例３）
本願発明の第３の実施の形態について、図１５を参照して説明する。外用胸部装着具９は、図１５に示すように、乳房温存手術と呼ばれる主として乳房の一部の小さい面積の部位を手術により切除した人が乳房手術部位にあてがって用いる物であり、多くの場合外用胸部装着具９はブラジャーのカップ部内方に装着されて乳房手術部位にあてがわれる。
【００５４】
外用胸部装着具９は、図１５に示すように、被覆体９１と、被覆体９１に被覆される不図示の装着具本体とで形成される。外用胸部装着具９は、自身の乳房の切除部と同程度の略楕円形状に形成され、切除した側の胸部の乳房手術部位にあてがわれる。本願発明の実施の形態では、右胸用の外用胸部装着具９を例に説明する。
【００５５】
図１５は、外用胸部装着具９を装着時に被覆体９１の乳房手術部位１０１にあてがわれるのと反対側の面９７（ブラジャー当接面）から見た斜視図である。被覆体９１は、乳房手術部位１０１の皮膚面にあてがったときに肌あたりのよい、織り地、ニット地、起毛地等の布地で切除部と同程度の大きさの平置きで略楕円型、略円形型、丸みを帯びた四角型など切除部位に対応する形状に形成してなる袋状の被覆体であって、所望の装着具本体と相似形状に形成され、略俵型、略球型、略玉子型、略立方体型、略直方体等の形状の装着具本体を被覆し、装着具本体を被覆したときには、外用胸部装着具９全体として略俵型、略球型、略玉子型、略立方体型、略直方体等の立体形状を成すようになっている。円弧形状の辺部９２から乳房手術部位１０１にあてがわれるのと反対側の面９７に変芯した位置には縁部９４から反対縁部９５に亘って装着具本体を挿入・取り出し自在とする開口部９６が形成されている。開口部９６内方には開口部９６を封止する材としてコンシールファスナーまたは面ファスナーが取り付けられている。 
【００５６】
不図示の装着具本体としては、外用胸部装着具１と同様に、被覆体９１と相似形状の収納体にプラスチックビーズ、ワタ材、乾燥ハーブ、低反発ウレタンスポンジ等を入れた物をそれぞれ用意し、これらの装着具本体から所望の物を選んで被覆体９１に挿入して装着することができる。
【００５７】
（実施例４）
本願発明の第４の実施の形態について図１６および図１７を参照して説明する。図１６、図１７に示す外用胸部装着具３０１は、被覆体３０２と、被覆体３０２に被覆される装着具本体４０１、４０２とで形成される。外用胸部装着具３０２は、人間の乳房の全体外縁形状を形成するように形成され、切除した側の胸部の乳房手術部位にあてがわれる。
【００５８】
図１６に示す外用胸部装着具３０１は、右胸用のものであり外用胸部装着具３０２を乳房手術部位にあてがわれるのと反対側の面（ブラジャー当接面）から見た状態である。被覆体３０２は、乳房手術部位の皮膚面にあてがったときに肌あたりがよいメッシュ布で形成される袋体である。このメッシュ布は、細かな孔部３０３を多数有することから洗濯後や汗をかいたときの速乾性に優れ、装着時にも装着者の体温を外部へ逃がすことができる。また、肌への当接面積が少ないことからベタつきを感じにくいという利点もある。さらには、伸縮性にも優れている。被覆体３０２は、装着者自身の乳房の全体外縁形状を形成するように頂部３０５から延び、胸の内側に位置する側に若干の丸みを帯びた略同一長さの二等辺部３１５、３１６と円弧形状の底部を有する水滴型の平面形状を有する袋状に形成され、後述する所望の装着具本体４０１、４０２と相似形状に形成され、複数個の装着具本体を被覆できる大きさに形成されている。
【００５９】
そして被覆体３０２の片面すなわち乳房手術部位にあてがわれるのと反対側の面（ブラジャー当接面）の略中央位置には頂部３０５から底部にかけて装着具本体を出し入れするための開口部３０８が形成されている。この開口部３０８は、被覆体３０２片面の左右を成す布地３０６、３０７の端部３１２、３１３が被覆体３０２の略中央部で交差し、打ち合わせ部３０５を形成するように開口されていて、図１７に示すように装着具本体４０１、４０２を交換するときには打ち合わせ３０５を広げて開口部３０８を開口した状態で、被覆体の内部３０９へ装着具本体４０１、４０２を出し入れし、装着時には打ち合わせ３０５を合わせるように開口部３０８閉じ、装着具本体４０１、４０２の脱落を防止するようになっている。この打ち合わせ部３０５は布地を二重に折り返して形成し、打ち合わせ部の強度を高めている。
【００６０】
また、被覆体３０２の装着時において胸の内側に位置する側の布地３０７にはダーツ３１１を設け、装着具本体４０１、４０２を収納したときに、胸の内側に位置する部分に厚みが出るように形成してもよい。尚、このダーツは必ずしも胸の内側に位置する側に設ける必要はなく、所望する乳房の形状に合わせて胸の下方や胸の外側に位置する側に設けられることもある。さらに、被覆体３０２の内側にカップ形状の布地や芯地を貼着して乳房の形状を保持するようにしてもよい。また、被覆体３０２のブラジャー当接側の内方にシリコン樹脂でできた薄いカップ形状のパッドを収納し、外用胸部装着具３０１の形状を乳房に近い形に補正してもよい。シリコン樹脂からなるパッドは適度な弾性を有することから、乳房に近い触感をも形成することができる。
【００６１】
次に図１７を用いて被覆体３０２に収納して用いる装着具本体４０１、４０２について説明する。この実施例において装着具本体は複数個（図１７の場合は２個）用意され、装着者が自己の乳房の重量や生活スタイルに応じて一個又は複数個の装着具本体を被覆体３０２に収納して外用胸部装着具３０１を形成し、外用胸部装着具３０１の重さを自在に調節するようになっている。装着具本体４０１、４０２は、メッシュ布で形成される収納体４０３とこれに内包される胸部重量調整用の収納物としてのプラスチックビーズ（不図示）とからなる。収納体４０３は、被覆体３０２と相似形状に形成されてなり頂部４０５と頂部４０５から延び、胸の内側に位置する側に若干の丸みを帯びた同一長さの二等辺部４０６、４０７と円弧形状の底部を有する水滴型に形成され、頂部４０５が被覆体の頂部３０５、二等辺部４０６、４０７が被覆体の二等辺部３１５、３１６とぴったり合うように収納されるようになっている。また、収納体４０３内部でビーズが偏らないように、収納体４０３内部を幾つかの部屋（不図示）に仕切り、それぞれの部屋にビーズを収納してもよい。また、装着具本体４０１、４０２の内方にシリコン樹脂からなるパッドを収納してもよい。
【００６２】
外用胸部装着具の重量の一例についての説明は実施例１に記載した通りであるが、外用胸部装着具３０１における装着具本体４０１、４０２の選択の一例を示せば、アンダーバスト７５センチメートルの人で日本のカップサイズでＤカップの人の実際の乳房の重量は３２０グラム程度であるので、自己の乳房の重量の３２０グラム程度〜１／３程度の重量の１００グラム程度の外用胸部装着具３０１を利用する。よく所望されるのは、自己の乳房の重量の１／２程度の重さ、すなわち１６０グラムの外用胸部装着具であるが、この場合１００グラムの装着具本体４０１と、６０グラムの装着具本体４０２を選択して、被覆体３０２に２個の装着具本体を収納し、手術部位と反対側の乳房の１／２の重量の外用胸部装着具３０１を形成する。一方、リラックス時用や睡眠時用には１個の装着具本体４０１を取りだし、装着具本体４０２のみ被覆体３０２に収納して６０グラムの外用胸部装着具本体を形成する。また、例えばアンダーバスト７５センチメートルの人で日本のカップサイズＦカップの人によく所望されるのも、自己の乳房の重量の１／２程度の重さ、すなわち２５０グラムの外用胸部装着具であるが、この場合１２０グラムの重量の装着具本体と１３０グラムの重量の装着具本体を被覆体に収納して２５０グラムの外用胸部装着具を形成する。このように外用胸部装着具を形成することで手術部位と反対側の乳房とバランスがとれ、且つ、外用胸部装着具を過度に重く感じることのない外用胸部装着具を形成することができる。尚、ここでは、自己の乳房の１／２程度の重量の外用胸部装着具を例に装着具本体の選択のパターンを示したが、もともとの乳房のサイズが比較的小さい場合や、反対側の乳房と同じ重量にバランスをとりたい場合に装着する外用胸部装着具は、自己の乳房と同じ重量に形成される。また、術部や身体への負担を軽くするべく術後直ぐに装着する外用胸部装着具は、自己の乳房の重量の１／３より軽く形成される場合もある。重量が軽い外用胸部装着具を形成する場合には、例えば、プラスッチックビーズが収納されてなる４０グラムの装着具本体と、ワタが収納されてなる装着具本体を選択し、ワタが収納されてなる装着具本体を胸の側にして被覆体に収納する。このように、装着具本体を数十グラム単位で用意しておけば、乳房の大きさや重量、術後経過、そして個々の生活スタイルに応じて装着具本体の重量と個数を選択し、所望の重量の外用胸部装着具を形成することができる。
【００６３】
尚、これまで述べた実施例において、幾つかの乳房の切除部位の大きさや形状に応じた外用胸部装着具の大きさや形状を示したが、乳房の切除部位の大きさや形状は、手術方法により区々であり、乳房の極一部を切除する場合もあれば、リンパ節周部まで切除する場合もある。したがって、外用胸部装着具の大きさや形状は、装着者の乳房の大きさと乳房の切除部位に応じて決定されるものであり、上述した例に示す形状や大きさに限られるものではない。また、装着者が必要とする外用胸部装着具の重量も、手術直後と手術後時間が経過した後では異なり、個々の生活スタイルで異なり、さらには一人の人であっても一日の生活時間帯でも異なる。したがって、装着具本体の重量や、被覆体に収納する装着具本体の個数も上述した重量や個数に限られるものではない。
【符号の説明】
【００６４】
１    外用胸部装着具
１０  胸部
１１  被覆体
１２  被覆体頂部
１３  被覆体底部
１４  被覆体辺部
１４ａ開口部
１５  被覆体辺部
１６  リボン部材
１７  リボン部材
１８  ブラジャー当接面
２    装着具本体
２１  収納体
２２  装着具本体頂部
２３  装着具本体底部
２４  装着部本体辺部
２５  装着部本体辺部
２６  装着具本体中央部
２７  プラスチックビーズ
３    装着具本体
３１  収納体
３２  装着具本体頂部
３３  装着具本体底部
３４  装着部本体辺部
３５  装着部本体辺部
３６  装着具本体中央部
３７  ワタ材
４    装着具本体
４１  収納体
４２  装着具本体頂部
４３  装着具本体底部
４４  装着部本体辺部
４５  装着部本体辺部
４６  装着具本体中央部
４７  乾燥ハーブ
５  装着具本体
５１  収納体
５２  装着具本体頂部
５３  装着具本体底部
５４  装着部本体辺部
５５  装着部本体辺部
５６  装着具本体中央部
５７  高分子ポリマー
６１  被覆体
６２  テープスナップ
６３  被覆体
６４  ループ部材
７    被覆体
７４  開口部
７６  面ファスナー
７７  面ファスナー
７８  被覆体
７９  滑り止め部材
８    外用胸部装着具
８１  被覆体
８２  被覆体円弧部
８３  被覆体円弧部
８４  被覆体頂部
８５  被覆体頂部
８６  開口部
８７  テープスナップ
８８  ブラジャー当接面
９    外用胸部装着具
９１  被覆体
９２  被覆体円弧状辺部
９３  被覆体円弧状辺部
９４  被覆体縁部
９５  被覆体縁部
９６  開口部
９７  ブラジャー当接面
１０１  乳房手術部位
２０  ブラジャー
２０１  カップ
３０１  外用胸部装着具
３０２  被覆体
３０３  孔部
３０５  頂部
３０６、３０７  被覆体左右布地
３０８  開口部
３０９  被覆体内部
４０１、４０２  装着具本体
４０３  収納体
４０５  頂部
４０６、４０７二等辺部
【図１】
0005451713.tif 000002
【図２】
0005451713.tif 000003
【図３】
0005451713.tif 000004
【図４】
0005451713.tif 000005
【図５】
0005451713.tif 000006
【図６】
0005451713.tif 000007
【図７】
0005451713.tif 000008
【図８】
0005451713.tif 000009
【図９】
0005451713.tif 000010
【図１０】
0005451713.tif 000011
【図１１】
0005451713.tif 000012
【図１２】
0005451713.tif 000013
【図１３】
0005451713.tif 000014
【図１４】
0005451713.tif 000015
【図１５】
0005451713.tif 000016
【図１６】
0005451713.tif 000017
【図１７】
0005451713.tif 000018